(57)【要約】【課題】  容量の小さい指針用光源であっても指針照明の明るさを上げることのできる計器照明装置を提供する。【解決手段】  文字板２と、透光性の指針２０と、文字板２の背後に設けられた回路基板３と、文字板２を照明する文字板用照明光源９および指針２０の基部２２から光を導入させて指針を照明する指針用光源１０と、文字板２と回路基板３との間に形成されるとともに文字板用照明光源９を収納する文字板用照明室６と、文字板２と回路基板３との間に形成されるとともに指針用光源１０を収納する指針用照明室７と、文字板用照明室６と指針用照明室７とを仕切る仕切部材３０とを備えた計器照明装置１であって、仕切部材３０を透明性の材質で形成し、文字板用照明光源９の光を仕切部材へ導入させる導入部３２Ａと、仕切部材３０へ導入された光を指針２０の基部２２へ向けて照射する照射部３３Ａとを仕切部材３０に設けた。【選択図】  図１
2005207981.tif 000002
【特許請求の範囲】
【請求項１】
目盛りを付した透光性の文字板と、この文字板上に回動可能に設けられた透光性の指針と、前記文字板の背後に設けられた基板と、この基板に設けられるとともに前記文字板を照明する文字板用照明光源および前記指針の基部から光を導入させて指針を照明する指針用光源と、前記文字板と基板との間に形成されるとともに前記文字板用照明光源を収納する文字板用照明室と、前記文字板と基板との間に形成されるとともに前記指針用光源を収納する指針用照明室と、前記文字板用照明室と指針用照明室とを仕切る仕切部材とを備えた計器照明装置であって、
前記仕切部材を透明性の材質で形成し、
前記文字板用照明光源の光を仕切部材へ導入させる導入部と、仕切部材へ導入された光を前記指針の基部へ向けて照射する照射部とを前記仕切部材に設けたことを特徴とする計器照明装置。
【請求項２】
前記指針用照明室側となる仕切部材の側面を白色塗装したことを特徴とする請求項１に記載の計器照明装置。
【発明の詳細な説明】
【技術分野】
【０００１】
この発明は、計器の透明な文字板と透明な指針を照明する計器照明装置に関する。
【背景技術】
【０００２】
従来から、計器の文字板を照明する文字板用照明光源と、文字板の指針の基部から光を導入させてその指針を光輝させる指針用光源とを備えた計器照明装置が知られている（特許文献１参照）。
【０００３】
かかる計器照明装置は、目盛りを付した透光性の文字板と、この文字板上に回動可能に設けられた透光性の指針と、その文字板の背後に設けられたプリント基板と、前記文字板を照明する文字板用照明光源と、前記指針の基部から光を導入させて指針を照明する指針用光源と、前記文字板と基板との間に形成されるとともに前記文字板用照明光源を収納する文字板用照明室と、前記文字板と基板との間に形成されるとともに前記指針用光源を収納する指針用照明室と、前記文字板用照明室と指針用照明室とを仕切る仕切部材とを備えている。
【０００４】
この計器照明装置は、文字板用照明光源によって文字板を背後から照明し、指針用光源によって指針の基部から光を導入させて指針を照明するものであり、それぞれ独立した光源で照明するため指針を明るく照明することができる。
【特許文献１】特許第３２１１２２９号公報
【発明の開示】
【発明が解決しようとする課題】
【０００５】
しかしながら、このような計器照明装置にあっては、指針照明の明るさは指針用光源のみに依存しているため、その明るさを上げるには容量の大きい指針用光源を用いる以外に方法がなかった。
【０００６】
この発明の目的は、容量の小さい指針用光源であっても指針照明の明るさを上げることのできる計器照明装置を提供することにある。
【課題を解決するための手段】
【０００７】
請求項１の発明は、目盛りを付した透光性の文字板と、この文字板上に回動可能に設けられた透光性の指針と、前記文字板の背後に設けられた基板と、この基板に設けられるとともに前記文字板を照明する文字板用照明光源および前記指針の基部から光を導入させて指針を照明する指針用光源と、前記文字板と基板との間に形成されるとともに前記文字板用照明光源を収納する文字板用照明室と、前記文字板と基板との間に形成されるとともに前記指針用光源を収納する指針用照明室と、前記文字板用照明室と指針用照明室とを仕切る仕切部材とを備えた計器照明装置であって、
前記仕切部材を透明性の材質で形成し、
前記文字板用照明光源の光を仕切部材へ導入させる導入部と、仕切部材へ導入された光を前記指針の基部へ向けて照射する照射部とを前記仕切部材に設けたことを特徴とする。
【０００８】
請求項２の発明は、前記指針用照明室側となる仕切部材の側面を白色塗装したことを特徴とする。
【発明の効果】
【０００９】
この発明によれば、仕切部材の導入部から文字板用照明光源の光が導入されて、照射部からその導入された光が指針の基部へ向けて照射されるので、容量の小さい指針用光源であっても指針照明の明るさを上げることができる。
【発明を実施するための最良の形態】
【００１０】
以下、この発明に係る計器照明装置の実施例を図面に基づいて説明する。
【実施例】
【００１１】
［第１実施例］
図１はこの発明に係る計器照明装置１の構成を示したものである。図１において、２は文字,記号,目盛り等を付した透光性の文字板であり、この文字板２の背後には回路基板３が設けられている。この回路基板３の裏面（下面）には指針２０を回動させるムーブメント（図示せず）などを内蔵した計器本体５が取り付けられている。
【００１２】
また、回路基板３の上面には透明な仕切部材３０が設けられており、この仕切板３０によって回路基板３と文字板２との間に文字板用照明室６と指針用照明室７とが区画されている。また、回路基板３の上面には文字板を照明する複数の発光ダイオード９と指針２０を照明する複数の発光ダイオード１０が設けられており、各発光ダイオード９は文字板照明室６に配置され、各発光ダイオード１０は指針用照明室７に配置されている。
【００１３】
指針２０は、透明な材質で形成され、図２に示すように指針部２１と発光ダイオード１０の光を導入する基部２２とから構成されている。指針部２１の後部２１Ａには図１の矢印Ｑ１で示すように入射してきた光を指針部２１の先端部に向けて反射させる傾斜した反射面２１ｂが形成されている。
【００１４】
基部２２は、指針部２１の後端部２１Ａに連続形成された軸受部２２Ａと、この軸受部２２Ａおよび指針部２１の後端部２１Ａを両側から挟み込む半円形状のガイド部２２Ｂ,２２Ｂとを有している。ガイド部２２Ｂ,２２Ｂは軸受部２２Ａおよび指針部２１の後端部２１Ａに連続形成されており、軸受部２２Ａ,後端部２１Ａおよびガイド部２２Ｂ,２２Ｂの底面を除いた表面は白色塗装され、図示しない塗装層が形成されている。
【００１５】
軸受部２２Ａは計器本体５から突出された回動軸１１の上部に装着され、回動軸１１とともに指針２０が回動していくようになっている。そして、基部２２にはキャップ１４が装着され、このキャップ１４により基部２２および指針部２１の後部２１Ａが覆われている。
【００１６】
仕切部材３０は、図１に示すように上にいくにしたがって径が小さくなる筒部３１を有し、この筒部３１の下部には外方に突出したフランジ３２が形成され、このフランジ３２が回路基板３に固定されている。そして、フランジ３２の周端面３２Ａが発光ダイオード９の光を仕切部材３０内へ導入する導入部となっている。
【００１７】
筒部３１の内周面３１Ａは白色塗装されて塗装層３１Ｃが形成されており、筒部３１の上部にはリング部３３が形成され、このリング部３３が文字板２に形成された穴２Ａ内に挿入されている。リング部３３の外周には文字板２の穴２Ａの周縁を押さえるツメ３４が形成されている。また、リング部３３の上面３３Ａが仕切部材３０内へ導入された光を指針２０の基部に向けて照射する照射部となっている。
［作  用］
次に、上記のように構成される計器照明装置１の作用について説明する。
【００１８】
発光ダイオード１０が発光すると、その光は指針２０の基部２２の軸受部２２Ａやガイド部２２Ｂ,２２Ｂや指針部２１の後端部２１Ａの底面へ入射し、それら底面へ入射した光は軸受部２２Ａやガイド部２２Ｂ,２２Ｂや指針部２１の後端部２１Ａの表面で反射されて指針部２１へ導入されていき、その指針部２１が照明されることになる。すなわち、指針部２１が光輝することになる。
【００１９】
一方、発光ダイオード９が発光すると、その光は文字板２を背後から透過照明する。
【００２０】
他方、発光ダイオード９が発光した光の一部は仕切部材３０のフランジ３２の周端面３２Ａから仕切部材３０内へ導入され、この導入された光は筒部３１の内周面３１Ａで反射されてリング部３３の照射部３３Ａに向かって進行していく。内周面３１Ａは白色塗装されていることにより、その内周面３１Ａでの反射効率がよく、このため照射部３３Ａに向かって進行していく光の光量を大きくすることができる。
【００２１】
そして、その照射部３３Ａから光が射出されて指針２０の軸受部２２Ａやガイド部２２Ｂ,２２Ｂや指針部２１の後端部２１Ａの底面を照射し、この照射した光がその底面から指針２０の基部２２内に導入されて、上記と同様にして指針部２１を照明することになる。
【００２２】
このように、指針部２１は発光ダイオード１０の光で照明される他に、文字板２を照明する発光ダイオード９の光の一部で照明されるので、発光ダイオード１０の容量が小さくても指針部２１の照明、すなわち指針照明の明るさを上げることができる。
［第２実施例］
図３は第２実施例の計器照明装置１００を示したものである。図３において、１３０は回路基板３と文字板２との間に文字板用照明室６と指針用照明室７とを区画した仕切部材である。
【００２３】
この仕切部材１３０は、ほぼ同心円状に形成された３つの筒部１３１,１３２,１３３とを有している。筒部１３１と筒部１３２は下部に設けた連結部１３４で連結され、筒部１３２と筒部１３３は上部に設けた連結部１３５で連結されている。そして、筒部１３３の下部には外方へ突出したフランジ１３６が形成され、このフランジ１３６の周端面１３６Ａが発光ダイオード９の光を仕切部材１３０内へ導入する導入部となっている。
【００２４】
また、筒部１３１の上端面１３１Ａは仕切部材１３０内へ導入された光を指針２０の基部２２に向けて照射する照射部となっている。また、筒部１３１,１３２の内周面１３１Ａ,１３２Ａおよび外周面１３１Ｂ,１３２Ｂは白色塗装されて図示しない塗装層が形成され、連結部１３４の上面１３４Ａおよび下面１３４Ｂも白色塗装されて図示しない塗装層が形成されている。さらに、連結部１３５の下面１３５Ｂが白色塗装されて図示しない塗装層が形成され、連結部１３５の上面１３５Ａが照射部となっている。また、筒部１３３の内周面１３３Ａが白色塗装されて図示しない塗装層が形成されている。１３７は文字板２の穴２Ａの周縁を押さえるツメである。
【００２５】
この第２実施例の計器照明装置１００は、発光ダイオード１０で発光した光は第１実施例と同様にして指針部２１を照明し、仕切部材１３０内に導入された光の一部を連結部１３５の上面１３５Ａから指針２０の基部２２周辺の文字板２を照明するようにしたものである。この上面１３５から文字板２に向けて照射しなかった光は筒部１３２,連結部１３４,筒部１３１を通って筒部１３１の上端面１３１Ａから指針２０の軸受部２２Ａやガイド部２２Ｂ,２２Ｂや指針部２１の後端部２１Ａの底面を照射し、第１実施例と同様にして指針部２１を照明し、指針照明の明るさを上げることができる。
【図面の簡単な説明】
【００２６】
【図１】この発明に係る計器照明装置の構成の腰部を示した断面図である。
【図２】指針とキャップとを示した斜視図である。
【図３】第２実施例の計器照明装置の構成の腰部を示した断面図である。
【符号の説明】
【００２７】
１      計器照明装置
２      文字板
３      回路基板（基板）
６      文字用照明室
７      指針用照明室
９      文字用照明光源
１０      指針用光源
２０      指針
２２      基部
３０      仕切部材
３２Ａ    導入部
３３Ａ    照射部
【図１】
2005207981.tif 000003
【図２】
2005207981.tif 000004
【図３】
2005207981.tif 000005